(57)【特許請求の範囲】
【請求項１】
透光性プラスチック材と、透光性バックシートと、前記透光性プラスチック材の封止領域と前記透光性バックシートとの間に配置され、互いにインターコネクタで電気接続された複数の両面受光型の太陽電池セルと、前記複数の太陽電池セルを包囲する透明充填樹脂と、を具備する太陽電池装置において、
前記透光性プラスチック材はドーム状の曲面を有し、太陽電池装置を設置する被固定体の設置領域の全周において前記ドームが外側方向にＬ字状に折れ曲がった状態となるよう、前記ドームの底面に前記設置領域を取り囲む枠体が成型されており、
前記透光性プラスチック材は、前記枠体の四方に配された固定部材により前記設置領域に前記枠体が固定されることで、密閉空間を構成することができ、
前記透光性バックシートと、前記太陽電池セルと、前記透明充填樹脂とは、前記密閉空間に配置され、
前記太陽電池セルは、前記透光性プラスチック材の前記封止領域の内面に配置され、
前記封止領域の表面は、前記被固定体の設置領域の表面に対して傾斜している、
太陽電池装置。
【請求項２】
前記密閉空間を構成する前記被固定体の設置領域には光反射体が具備される、請求項１に記載の太陽電池装置。
【請求項３】
前記太陽電池装置が、前記被固定体の設置領域に固定されているときに、
太陽光の入射角度が直交により近くなるように前記被固定体の表面の角度が設定されている、請求項１に記載の太陽電池装置。
【請求項４】
前記透光性プラスチック材の前記封止領域以外の面が、太陽光を効率的に密閉空間に導けるように、外部空間に対して凹状の曲面を有する、請求項１に記載の太陽電池装置。
【請求項５】
前記透光性プラスチック材の前記封止領域以外の面が、外部空間に対して凹状の曲面を有し、
前記透光性プラスチック材の前記封止領域の面積よりも、前記被固定体の前記設置領域の面積が小さい、請求項１に記載の太陽電池装置。
【請求項６】
前記透光性プラスチック材の前記封止領域が、太陽電池装置の剛性を高めるように、外部空間に対して凸状の曲面を有する、請求項１に記載の太陽電池装置。
【請求項７】
前記被固定体は、自動車の屋根を含む車体であり、
前記太陽電池装置が、前記自動車の屋根の車体に固定されることで、外気の風雨が車内に入ることが防止される、請求項１に記載の太陽電池装置。
【請求項８】
前記被固定体は、自動車の車内に光を取り入れるスライド板を含む屋根を含む車体であり、
前記スライド板の太陽電池装置と対向する面には、光反射体が具備されている、請求項７に記載の太陽電池装置。
【請求項９】
前記被固定体の前記設置領域の周囲には、凹凸形状のプリズム反射シートが設けられ、プリズム反射シートで反射された太陽光を太陽電池装置に入射させる、請求項１に記載の太陽電池装置。
【請求項１０】
請求項１に記載する太陽電池装置の製造方法であって、
透光性プラスチック板と、前記透光性バックシートと、前記複数の太陽電池セルと、前記透明充填樹脂とを含む積層体を用意する工程と、
前記積層体を、真空穴を設けた成形型に押し付けて、前記透光性プラスチック板を屈曲させて、前記透光性プラスチック材を得る工程と、
を含む、製造方法。
【請求項１１】
請求項１０に記載する太陽電池装置の製造方法であって、
前記積層体は、前記透光性プラスチック板と、前記透光性バックシートと、前記複数の太陽電池セルと、前記透明充填樹脂と、弾性のある樹脂シートとの積層物を加圧ラミネートして得る、製造方法。
【発明の詳細な説明】
【技術分野】
【０００１】
本発明は、曲面を有する透光性プラスチック材を含む太陽電池装置およびその製造方法に関する。
【背景技術】
【０００２】
近年、太陽電池はクリーンなエネルギー源として多くの関心が寄せられている。特に、発電効率の高いシリコン太陽電池は、住宅や車などのハイエンド市場向けの電力用の最有力候補として、様々な設置方法や施工部位が検討されている。太陽電池は、通常、太陽電池セルと透光性部材とを有し、透光性部材を通過した光が太陽電池セルに入射する。【０００３】
現在提供されている主流の太陽電池装置の多くは、平面状の透光性部材を有する。つまり、図１５に示されるように、太陽電池セル２を含む太陽電池装置の平面の積層体６を、その両サイドに設けた枠体７で被固定体に固定する（特許文献１参照）。【０００４】
一方で、透光性部材を曲面にした太陽電池装置も提案されている（特許文献１）。図１４に示された太陽電池装置１１は、太陽電池セル２と、左右の両端部に曲面を有する透光性プラスチック材１２とを有し、左右の両端部の枠部１４で被固定体に固定される。図１４に示される太陽電池装置を、自動車ルーフ、瓦一体型や建材一体型の住宅、船舶等に固定しようとすると、太陽電池装置の取り付け部位と被設置部との間に隙間が生じ、被設置部に密着させられなかった。その結果、太陽電池装置の取り付け部位において被固定体との間に生じた空間に、風雨が入ったりした。また、無駄なスペースが生じたりした。さらには、外観上の美観も損なわれるといった問題が生じていた。【０００５】
このように、太陽電池装置の透光性部材を自動車ルーフなどの施工部位の曲面形状に対応した曲面構造にすることが望まれる場合がある。しかしながら、曲面構造を有する透光性部材を含む太陽電池装置は、透光性部材の曲率半径の小さい箇所において曲げ強度が不足し、太陽電池セルにクラックや割れが発生するという問題が生じやすい。【０００６】
一方、現在提供されている太陽電池装置の透光性部材はガラス基板であることが多い。そのため、自動車ルーフ用の太陽電池装置の重量は、少なくとも３０ｋｇとなる。その結果、太陽電池装置を自動車用ルーフに取り付けた自動車の燃費が悪くなるという問題が生じている。これに対して、ガラス基板の代わりに、重量の軽いポリカーボネイト製の透光性プラスチック材１２を用いて、風圧に堪えられる構造的強度を有する太陽電池装置を提供しようとする試みもある（特許文献１）。
【先行技術文献】
【特許文献】
【０００７】
【特許文献１】特開平１０−２２９２１５号公報
【発明の概要】
【発明が解決しようとする課題】
【０００８】
特許文献１には、図１４に示すように曲面を有する透光性プラスチック材１２を具備する太陽電池装置は、強化ガラスの透光性部材を用いた太陽電池装置と同等の強度を有すると記載されている。それにより、風圧により太陽電池装置が破壊されるという課題を解決するとしている。【０００９】
図１４に示される太陽電池装置は、太陽電池セル２の封止領域の外周の一部（左右の二辺）に設けた枠部１４で、被固定体に固定される。しかしながら、太陽電池セル２の封止領域の外周の一部にのみ枠部１４を設けているため、被固定体に固定された太陽電池装置の構造強度が十分ではなかった。また、被固定体に固定されていない部分（上下の二辺）を介して、太陽電池装置の内部に風雨や砂塵が舞い込むという問題があった。そのため、特許文献１に記載の太陽電池装置を、自動車の車内や家屋の室内を密閉するための部材（屋根など）として用いることはできなかった。【００１０】
また、太陽電池装置は、その受光面に対する太陽光の入射角度を直角になるように配置されることが好ましい。発電量を高めるためである。しかしながら、特許文献１に記載の太陽電池装置は、太陽電池装置を被固定体に固定するための架台や枠体を用いて、太陽電池装置の受光面の角度を調整する必要があった。例えば、工場などの陸屋根や、地面などのフラットな場所に、特許文献１に記載の太陽電池装置を設置する場合は、太陽光の角度に応じて、架台や枠体を用いて、太陽電池装置の受光面の角度を調整する必要があった。【００１１】
そこで本発明は、屋外に設置されても、太陽電池セルが汚染されることを抑制し、太陽電池セルの発電量を長期に維持する太陽電池装置を提供する。
【課題を解決するための手段】
【００１２】
本発明は、上記従来の課題に鑑み、太陽電池セルと、透光性プラスチック材と、を有する太陽電池装置において、透光性プラスチック材と被固定体とで密閉空間を構成し、両面受光型の太陽電池セルを密閉空間に配置可能とする。密閉空間には、風雨や砂塵による汚れが侵入しないように構成される。そして、密閉空間を構成する被固定体の設置領域の表面に光反射性を付与することが好ましい。【００１３】
本願発明の第１は、透光性プラスチック材と、透光性バックシートと、前記透光性プラスチック材の封止領域と前記透光性バックシートとの間に配置され、互いにインターコネクタで電気接続された複数の両面受光型の太陽電池セルと、前記複数の太陽電池セルを包囲する透明充填樹脂と、を具備する太陽電池装置を提供する。前記透光性プラスチック材はドーム状の曲面を有し、太陽電池装置を設置する被固定体の設置領域の全周において前記ドームが外側方向にＬ字状に折れ曲がった状態となるよう、前記ドームの底面に前記設置領域を取り囲む枠体が成型されている。前記透光性プラスチック材は、前記枠体の四方に配された固定部材により前記設置領域に前記枠体が固定されることで密閉空間を構成することができる。前記透光性バックシートと、前記太陽電池セルと、前記透明充填樹脂とは、前記密閉空間に配置され、前記太陽電池セルは、前記透光性プラスチック材の前記封止領域の内面に配置され、前記封止領域の表面は、前記被固定体の設置領域の表面に対して傾斜している。
【００１４】
前記密閉空間を構成する前記被固定体の前記設置領域の表面は、光反射性を有することが好ましい。【００１５】
前記被固定体は、自動車の屋根を含む車体であり、前記太陽電池装置が、前記自動車の屋根の車体に固定されることで、外気の風雨が車内に入ることが防止されることが好ましい。【００１６】
さらに、前記被固定体は、自動車の車内に光を取り入れるスライド板を含む屋根を含む車体であり、前記スライド板の太陽電池装置と対向する面には、光反射体が具備されていることが好ましい。【００１７】
本願発明の第２は、透光性プラスチック板と、透光性バックシートと、前記透光性プラスチック材の封止領域と前記透光性バックシートとの間に配置され、互いにインターコネクタで電気接続された複数の両面受光型の太陽電池セルと、前記複数の太陽電池セルを包囲する透明充填樹脂とを含む積層体を用意する工程と；前記積層体を、真空穴を設けた成形型に押し付けて、前記透光性プラスチック板を屈曲させて、透光性プラスチック材を得る工程とを含む、太陽電池装置の製造方法を提供する。【００１８】
上記製造方法において、積層体は、透光性プラスチック板と、透光性バックシートと、前記透光性プラスチック材の封止領域と前記透光性バックシートとの間に配置され、互いにインターコネクタで電気接続された複数の両面受光型の太陽電池セルと、前記複数の太陽電池セルを包囲する透明充填樹脂と、弾性のある樹脂シートとの積層物を加圧ラミネートして得ることが好ましい。
【発明の効果】
【００１９】
以上のように、本願発明の太陽電池装置は、透光性プラスチック材と被固定体とで密閉空間を構成し、密閉空間に両面受光型の太陽電池セルを装着する。そのため、太陽電池装置を屋外に設置しても、密閉空間内に装着された太陽電池セルが汚染されにくくなる。また、透光性プラスチック材と被固定体とで密閉空間を構成することができるので、太陽電池装置を固定するための専用の架台や枠体を必要としない。【００２０】
また、密閉空間を構成する被固定体の設置領域の表面に光反射体を設けることで、被固定体の設置領域の表面で反射した光が、両面受光型の太陽電池セルに入射することができる。それにより、太陽電池セルによる発電量を高めることができる。また、密閉空間には、風雨や砂塵による汚れが侵入しないように構成されているので、光反射性が低下しない。そのため、太陽電池セルによる発電量の低下が抑制できる。【００２１】
このように、本発明の太陽電池装置は、太陽電池セルの発電量が高く、単位面積当りの発電効率が高い。そして、太陽電池セルを配置した密閉空間内に風雨や砂塵による汚れが侵入しないように構成されているので、自動車の車内や家屋の室内を密閉するための部材として用いることができる。
【図面の簡単な説明】
【００２２】
【図１Ａ】実施の形態１の太陽電池装置の上面図
【図１Ｂ】実施の形態１の太陽電池装置の断面図
【図１Ｃ】実施の形態１の太陽電池装置の断面図
【図２Ａ】実施の形態１の太陽電池装置の製造フローを示す図
【図２Ｂ】実施の形態１の太陽電池装置の製造フローを示す図
【図２Ｃ】実施の形態１の太陽電池装置の製造フローを示す図
【図３Ａ】実施の形態１の太陽電池装置の製造フローを示す図
【図３Ｂ】実施の形態１の太陽電池装置の製造フローを示す図
【図３Ｃ】実施の形態１の太陽電池装置の製造フローを示す図
【図４Ａ】実施の形態１の太陽電池装置の製造フローを示す図
【図４Ｂ】実施の形態１の太陽電池装置の製造フローを示す図
【図５Ａ】実施の形態１の太陽電池装置の製造フローを示す図
【図５Ｂ】実施の形態１の太陽電池装置の製造フローを示す図
【図６】実施の形態１の太陽電池装置の製造フローを示す図
【図７】実施の形態２の太陽電池装置の断面図
【図８】実施の形態３の太陽電池装置の断面図
【図９】実施の形態３の太陽電池装置の製造フローを示す図
【図１０】実施の形態３の太陽電池装置の製造フローを示す図
【図１１】実施の形態４の太陽電池装置の断面図
【図１２】実施の形態５の太陽電池装置の断面図
【図１３】両面太陽電池装置の詳細断面図
【図１４】従来の太陽電池装置の断面図
【図１５】従来の太陽電池装置の斜視図
【発明を実施するための形態】
【００２３】
以下に、本発明の実施の形態を、図面を参照しながら説明する。
【００２４】
［実施の形態１］
図１Ａ〜Ｃは、実施の形態１の太陽電池装置の上面図（図１Ａ）および断面図（図１Ｂ（図１ＡにおけるＡ−Ａ断面図）と図１Ｃ（図１ＡにおけるＢ−Ｂ断面図））である。図１Ａ〜Ｃに示される太陽電池装置１１は、複数個の両面受光型の太陽電池セル２２を含む。互いに隣接する太陽電池セル２２は、一方の太陽電池セル２２の表側の受光面電極と、他方の太陽電池セル２２の裏側の受光面電極とがインターコネクタ１によって電気的に接続されて、直列に電気接続されている。また、図１Ａ〜Ｃに示される太陽電池装置１１は、複数の太陽電池セル２２を包囲する透明充填樹脂３を有する。
【００２５】
さらに、図１Ａ〜Ｃに示される太陽電池装置１１は、複数個の両面発電を行う太陽電池セル２２の受光面側に透明充填樹脂３を介して配置された透光性プラスチック材１２と、裏面側に透明充填樹脂３を介して配置された透光性バックシート２５とを有し、これらが一体化されている。
【００２６】
図１３に、実施の形態１の太陽電池装置の封止領域１５における積層構成の例を示す。図１３に示されるように、実施の形態１の太陽電池装置は、受光面側から、透光性プラスチック材１２と、透明充填樹脂３と、両面発電を行う太陽電池セル２２と、透明充填樹脂３と、透光性バックシート２５とを具備する。一対の透明充填樹脂３は、両面発電を行う太陽電池セル２２を包囲する。さらに、透光性プラスチック材１２の太陽電池セル２２と対向する面には密着層４６が成膜されており、透光性プラスチック材１２の外気に触れる表層には防水膜４５が成膜されている。
【００２７】
防水膜４５は、防水性、耐湿性、硬度向上能、ＵＶ遮蔽能などを有する。防水膜４５の材料の例には、アクリル系、フッ素系などの透光性に優れる有機材料や、金などの金属薄膜などが含まれる。金属薄膜は、透光性が若干低下する場合がある。
【００２８】
透光性プラスチック材１２の材料は、両面受光型の太陽電池セル２２が発電するために必要な光透過量を確保できる樹脂からなり、ポリカーボネイトまたはアクリル樹脂（ＰＭＭＡ）などを含みうる。透光性プラスチック材１２の表面（防水膜４５との界面）には、反射防止膜が成膜されていてもよい。実施の形態１の太陽電池装置１１における透光性プラスチック材１２の厚みは、５ｍｍである。
【００２９】
さらに、透光性プラスチック材１２の表面、裏面または両面に、水蒸気透過率が０．２ｇ／ｍ２・ｄａｙ以下のガスバリア層が成膜されていることが好ましい。透光性プラスチック材１２は、ガラス基板と比べて、水分透過率および吸水率が高いためである。水蒸気透過率が０．２ｇ／ｍ２・ｄａｙ以下のガスバリア層を成膜することで、透光性プラスチック材１２を透過した水分によって透明充填樹脂３が加水分解することを抑制することができる。透明充填樹脂３が加水分解すると、透光性プラスチック材１２と透明充填樹脂３との密着力が低下する。また、透光性プラスチック材１２を透過して透明充填樹脂３との界面に侵入した水分は、使用時の温度変化により体積変化を起こして、透光性プラスチック材１２と透明充填樹脂３とを剥離させ、さらにはその剥離箇所を拡大させる。さらには、透光性プラスチック材１２と透明充填樹脂３を透過した水分が太陽電池セルの表面を劣化させたり、太陽電池セル間の接合部を劣化させることがある。
【００３０】
両面受光型の太陽電池セル２２は、両面から入射した太陽光を電気に変換する太陽電池セルであり、ＨＩＴ（商標登録、パナソニック株式会社）などに代表される。両面受光型の太陽電池セル２２は、例えば、Ｎ型単結晶シリコンの一方の面にＰ層アモルファス層を設け、他方の面にＮ層アモルファス層を設けた構造を有する。実施の形態１の太陽電池装置１１における両面発電を行う太陽電池セル２２の厚みは１３０μｍである。
【００３１】
実施の形態１の太陽電池装置１１における太陽電池セル２２は、抵抗率が１Ω・ｃｍ、厚さが約３５０μｍのｐ型単結晶シリコン基板を含む。ｐ型単結晶シリコン基板の両面には、テクスチャー構造（不図示）が形成されている。テクスチャー構造は、その表面における光反射を低減させる凹凸形状である。テクスチャー構造は、例えば、シリコン基板の表面をアルカリ溶液でウェットエッチングして形成される。
【００３２】
太陽電池セル２２は、単結晶シリコン基板に代えて、多結晶シリコン基板などのシリコン基板を含んでいてもよい。多結晶シリコン基板の表面には、酸溶液を用いてテクスチャー構造を形成することができる。さらに、太陽電池セル２２は、シリコン基板に代えて、ＧａＡｓやＧｅなどの化合物系半導体を含んでいてもよく、それにより太陽電池セル２２は化合物系太陽電池となる。
【００３３】
太陽電池セル２２に含まれるｐ型単結晶シリコン基板の一方の表面側には、ｎ型層が形成されている。ｎ型層は、ｐ型単結晶シリコン基板の一方の表面から深さ約１μｍまでの厚みでありうる。ｎ型層は、ｐ型単結晶シリコン基板の一方の表面を、約９００℃でオキシ塩化リンガス（POCl3ガス）に曝して、Ｐ（リン）を熱拡散して形成する。オキシ塩化リンガスの代わりに、リンガラス（ＰＳＧ）を用いる場合もある。
【００３４】
太陽電池セル２２は、ｐ型単結晶シリコン基板の受光面上に成膜された反射防止膜を有する。反射防止膜とは、例えば、ＳｉＮｘからなり、プラズマＣＶＤ法により形成されうる。さらに、太陽電池セル２２は、反射防止膜上に配置されたフィンガー状のＡｇ電極を有する。Ａｇ電極は、Ａｇペーストを印刷し、熱処理を行うことで形成する。熱処理によって、Ａｇを反射防止膜であるＳｉＮｘ中に貫通させ、ｎ型層の表面にＡｇを接触させる。このような熱処理を、ファイアースルー（貫通焼成）と称する。
【００３５】
太陽電池セル２２に含まれるｐ型単結晶シリコン基板の他方の表面（裏面）側には、Ａｌからなる裏面電極が配置される。Ａｌからなる裏面電極は、ｐ型単結晶シリコン基板の裏面にＡｌペーストをスクリーン印刷することにより形成される。さらに、約７００℃で短時間加熱処理をすることで、シリコン基板にＡｌが熱拡散する。それにより、Ａｌがハイドープされたｐ型層も合わせて形成される。
【００３６】
これらの工程によって、シリコン基板内に両面アモルファス層を持ち、シリコン基板上にＡｇ配線を有する、両面発電を行う太陽電池セル２２が得られる。
【００３７】
透明充填樹脂３は、太陽電池セル２２を包囲する樹脂層であり；通常は、一対の透明充填樹脂３が、太陽電池セル２２を上下から挟み込む。実施の形態１の太陽電池装置１１における透明充填樹脂３の厚みは、それぞれ０．６ｍｍである。
【００３８】
透明充填樹脂３は、エチレンを主成分とし、これと共重合可能な単量体との共重合体を含む。共重合体の例には、エチレンと、酢酸ビニル、プロピオン酸ビニル等のビニルエステルとの共重合体；エチレンと、アクリル酸メチル、アクリル酸エチル、アクリル酸イソブチル、アクリル酸ｎブチル、メタクリル酸メチル等の不飽和カルボン酸との共重合体、またはそのアイオノマー；エチレンと、プロピレン、１-ブテン、１-ヘキセン、１-オクテン、４-メチル-１-ペンテンなどのα-オレフィンとの共重合体；あるいはこれらの２種以上の混合物などが含まれる。より典型的には、透明充填樹脂３は、エチレン酢酸ビニル共重合樹脂（ＥＶＡ）を含む。
【００３９】
透明充填樹脂３には、前記共重合体と架橋剤とを含む樹脂組成物の架橋体であってもよい。架橋剤は、例えば有機過酸化物であり、分解温度（半減期が１時間である温度）が９０〜１８０℃であることが好ましい。有機過酸化物の例には、ｔ-ブチルパーオキシイソプロピルカーボネイト、ｔ-ブチルパーオキシアセテート、ｔ-ブチルパーオキシベンゾエート、ジクミルパーオキサイド、２,５-ジメチル-２,５-ビス（ｔ-ブチルパーオキシ）ヘキサン、ジ-ｔ-ブチルパーオキサイド、２,５-ジメチル-２,５-ビス（ｔ-ブチルパーオキシ）ヘキシン-３,１,１-ビス（ｔ-ブチルパーオキシ）-３,３,５-トリメチルシクロヘキサン、１,１-ビス（ｔ-ブチルパーオキシ）シクロヘキサン、メチルエチルケトンパーオキサイド、２,５-ジメチルヘキシル-２,５-ビスパーオキシベンゾエート、ｔ-ブチルハイドロパーオキサイド、ｐ-メンタンハイドロパーオキサイド、ベンゾイルパーオキサイド、ｐ-クロベンゾイルパーオキサイド、ｔ-ブチルパーオキシイソブチレート、ヒドロキシヘプチルパーオキサイド、ジシクロヘキサノンパーオキサイドなどが挙げられる。
【００４０】
また、透明充填樹脂３には、前記共重合体と架橋剤とともに、架橋助剤を含む樹脂組成物の架橋体であってもよい。架橋助剤は架橋反応を容易に進行させることができる。架橋助剤の例には、トリアリルシアヌレート、トリアリルイソシアヌレート、エチレングリコールジメタクリルレート、トリメチロールプロパントリメタクリレートジビニルベンゼン、ジアリルフタレートなどが挙げられる。
【００４１】
さらに透明充填樹脂３は、前記共重合体と接着促進剤とを含む樹脂組成物の反応物であってもよい。接着促進剤は、透光性プラスチック材１２と透明充填樹脂３との密着性を高める。接着促進剤は、シランカップリング剤などである。シランカップリング剤の例には、ビニルトリエトキシシラン、ビニルトリス（β-メトキシ-エトキシ）シラン、γ-グリシドキシプロピルトリメトキシシラン、γ-アミノプロピルトリエトキシシランなどが含まれる。
【００４２】
透明充填樹脂３に含まれるシランカップリング剤の末端基と、透光性プラスチック材１２の表面の水酸基（ＯＨ基）とが加水分解・重合反応を起すことにより、透光性プラスチック材１２と透明充填樹脂３間の密着力が発現する。
【００４３】
透明充填樹脂３にシランカップリング剤が添加されていない場合には、透明充填樹脂３と透光性プラスチック材１２との密着力、または透明充填樹脂３と透光性バックシート２５との密着力が低下し、剥離が生じることがある。そのため、運搬・使用時のパネル強度を確保することができなかったり、外観上の美観が損なわれたり、太陽電池装置の電気特性が低下するといった問題が生じることがある。
【００４４】
透明充填樹脂３には、さらにその他の各種添加剤が配合されていてもよい。添加剤の例には、太陽光中の紫外線による劣化を防ぐ為の、紫外線吸収剤、光安定剤、酸化防止剤などが挙げられる。紫外線吸収剤としては、２-ヒドロキシ-４-メトキシベンゾフェノン、２-２-ヒドロキシ-４-メトキシベンゾフェノン、２-ヒドロキシ-４-メトキシ-２-カルボキシベンゾフェノン、２-ヒドロキシ-４-ｎ-オクトキシベンゾフェノン等のベンゾフェノン系、２-（２-ヒドロキシ-３,５-ジ-ｔ-ブチルフェニル）ベンゾトリアゾール、２-（２-ヒドロキシ-５-メチルフェニル）ベンゾトリアゾール、２-（２-ヒドロキシ-５-ｔ-オクチルフェニル）ベンゾトリアゾール等のベンゾトリアゾール系、フェニルサリチレート、ｐ-オクチルフェニルサリチレート等のサリチル酸エステル系のものが挙げられる。光安定剤としてはヒンダードアミン系のものが挙げられる。また、酸化防止剤としては、ヒンダードフェノール系やホスファイト系のものが挙げられる。
【００４５】
透光性バックシート２５の例には、ＰＥＴフィルム、ポリエステルフィルム、ガラスクロス透明フィルム、アクリルフィルム、塩化ビニルフィルムなどが含まれる。また、透光性バックシート２５は、これらのフィルムに、ＩＴＯやＺｎＯなどの透明導電性材料を積層した積層フィルムであってもよい。実施の形態１の太陽電池装置における透光性バックシート２５の厚みは、０．０５ｍｍである。
【００４６】
実施の形態１の太陽電池装置１１は、図１Ａ〜Ｃに示されるように、透光性プラスチック材１２と被固定体２４とで密閉空間２０を構成する。つまり、透光性プラスチック材１２はドーム状の曲面構造を有しているので、密閉空間２０を構成することができる。
【００４７】
また、透光性プラスチック材１２は、ドームの底面に枠部（ふち部）１４を有している。透光性プラスチック材１２は、枠部１４を介して被固定体２４の設置領域１９に固定される。透光性プラスチック材１２を被固定体２４に固定するには、被固定体２４に枠部１４を固定ビス２１や接着剤などで固定すればよい。透光性プラスチック材１２の枠部１４は、設置領域１９の四方を囲むことが好ましい。密閉空間２０の密閉性を高めるためである。
【００４８】
このように、透光性プラスチック材１２の枠部１４を被固定体２４に固定するため、太陽電池装置を固定するための枠体としてのアルミフレームや、地面や屋根とを固定する専用の架台が必要とされない。
【００４９】
太陽電池装置１１を固定する被固定体２４は、特に限定されないが、地面、コンクリート部材、建築物や自動車の屋根などでありうる。
【００５０】
透光性プラスチック材１２の密閉空間２０の内面に、両面受光型の太陽電池セル２２が配置される。太陽電池セル２２が配置される領域を封止領域１５と称する。太陽電池セル２２は、透明充填樹脂３に包囲されている。太陽電池セル２２と透明充填樹脂３とは、透光性プラスチック材１２の封止領域１５と透光性バックシート２５との間に配置されている。密閉空間２０の密閉性を高めることで、太陽電池装置を屋外に設置したときに、密閉空間２０に設けた太陽電池セル２２が風雨や砂塵により汚染されることを防止できる。
【００５１】
密閉空間２０を構成する被固定体２４の設置領域１９の表面には、光反射体２３が配置されていることが好ましい。このように、密閉空間２４に光反射体２３を配置することで、設置領域１９の表面に光反射性を付与する。光反射体２３が反射した太陽光は、両面受光型の太陽電池セル２２に入射して光電変換される。また、光反射体２３は、透光性プラスチック材１２が構成する密閉空間に配置されているため、外部環境からの風雨や砂塵で汚れることが防止される。その結果、光反射性が維持される。その結果、太陽電池セル２２の発電量を長期に亘って維持することができる。
【００５２】
実施の形態１の太陽電池装置の、被固定体２４に固定されている透光性プラスチック材１２の封止領域１５の表面は、被固定体２４の表面と平行ではない（図１Ｂ参照）。具体的には、太陽電池セル２２による発電量が最大となるように、透光性プラスチック材１２の封止領域１５の表面が、太陽光の入射角度が直角に近くなるように設定することが好ましい。封止領域１５の表面の角度は、透光性プラスチック材１２の成型の形状を調整すればよい。
【００５３】
このように、実施の形態１の太陽電池装置１１は、透光性プラスチック材１２が被固定体と密閉空間を構成できるので、自動車や家屋の屋根に設置しても、自動屋の車内や家屋の室内を密閉する（風雨や砂塵が舞い込むことを抑制する）ことができる。さらには、透光性プラスチック材の形状を適宜設定することで、封止領域の表面の角度を調整することができる。そのため、太陽光の入射角度が封止領域の表面に対して直交するように、透光性プラスチック材の形状を設定することで、太陽電池セルの最大発電量を得ることができる。
【００５４】
実施の形態１の太陽電池装置は、このような構成により、太陽電池セル２２を、風雨や砂塵の舞う外気から遮断することができ、信頼性の高い太陽電池装置を提供できる。
【００５５】
［太陽電池装置の製造方法］
実施の形態１の太陽電池装置の製造フローを図２Ａ〜図２Ｃ、図３Ａ〜図３Ｃ、図４Ａ、図４Ｂ、図５Ａ、図５Ｂ、および、図６を用いて説明する。
【００５６】
図２Ａに示すように、平板の透光性プラスチック材１２を準備する。平板の透光性プラスチック材１２は、成型されることで、曲面を有する透光性プラスチック材１２を構成する。透光性プラスチック材１２は高い光透過性を要求され、ＵＶ波長帯は材料特性により吸収されうるが、太陽光の波長全体の平均光透過率は９５〜９８％であることが好ましい。
【００５７】
次に、図２Ｂに示すように、所定の大きさにカットされた透明充填樹脂３からなる膜を、透光性プラスチック材１２に常温下で貼り付ける。透明充填樹脂３からなる膜の厚みは、太陽電池セル２２の厚みや透光性プラスチック材１２の曲面形状などによって適宜設定され、例えば０．２〜２ｍｍの範囲に設定され、本実施の形態１では０．６ｍｍとしている。また、透明充填樹脂３からなる膜は、１枚であっても、２枚以上の積層体であってもよく；さらに、領域毎にその枚数を違えてもよい。
【００５８】
図２Ｃに示すように、複数の太陽電池セル２２同士の間を、インターコネクタ１で接続する。つまり、一方の太陽電池セル２２の表面電極と、他方の太陽電池セル２２の裏面電極とを、インターコネクタ１で接続する。インターコネクタ１は、接合材料２６で太陽電池セル２２の表面電極または裏面電極と接合される。
【００５９】
太陽電池セル２２が発電した電力を取り出すために、太陽電池セル２２の表面電極および裏面電極と、インターコネクタ１との間に、電気的な導通と、温度サイクルや高温高湿試験に耐える機械的な接合強度が必要である。そのため、接合材料２６は、一般的にＳｎＰｂやＳｎＡｇＣｕやＳｎＡｇＢｉなどのはんだ材料や、ＡＣＦ（ａｎｉｓｏｔｒｏｐｉｃ  ｃｏｎｄｕｃｔｉｖｅ  ｆｉｌｍ）と呼ばれる異方性導電フィルムや、ＮＣＰ（ｎｏｎ  ａｎｉｓｏｔｒｏｐｉｃ  ｃｏｎｄｕｃｔｉｖｅ  ｐａｓｔｅ）と呼ばれるエポキシを主材とする接着用ペーストなどが用いられる。
【００６０】
インターコネクタ１を、接合材料２６で太陽電池セル２２の表面電極および裏面電極に接合するには、１）接合材料２６を、太陽電池セル２２の表面電極および裏面電極に、印刷、塗布、貼り付けなどにより供給し、２）太陽電池セル２２の表面電極および裏面電極上に、インターコネクタ１を位置合わせし、３）加熱加圧ヘッドで、太陽電池セル２２の両面から同時に、インターコネクタ１を太陽電池セル２２の両面に圧着し、接合材料２６を溶融後凝固させる。一般的な圧着条件は、例えば１７０〜２５０℃で５〜１０秒間圧着する。太陽電池セル２２のそれぞれに接合を行って、複数の太陽電池セル２２を電気的に直列に接続する。
【００６１】
次工程として、図３Ａに示すように、透明充填樹脂３の上に、インターコネクタ１で接続された複数の太陽電池セル２２を位置合わせする。透光性プラスチック材料１２の所定位置に、あらかじめ位置合わせ用認識マークを設けておくことが好ましい。認識マークを基準に、複数の太陽電池セル２２を一括して、透明充填樹脂３の上に配置することができる。複数の太陽電池セル２２を一括してマウントするので、太陽電池セル２２へのダメージや、インターコネクタ１の断線などの不良に注意する。
【００６２】
次に、図３Ｂに示すように、複数の太陽電池セル２２上に、対となる透明充填樹脂３を位置合わせしながらマウントする。透明充填樹脂３に切り込みをいれて、インターコネクタ１の引き出し部１ａを外部に引き出す。
【００６３】
次に、図３Ｃに示すように、透光性バックシート２５を、複数の太陽電池セル２２上の透明充填樹脂３に位置合わせしながらマウントする。透光性バックシート２５に切り込みをいれ、インターコネクタ１の引き出し部１ａ部分を外部に引き出す。このようにして、透光性プラスチック材１２と、一対の透明充填樹脂３と、太陽電池セル２２と、透光性バックシート２５とが積層された積層物を得る。
【００６４】
次工程として、図４Ａに示すように、図３Ｃで得られた積層物をラミネートして、一体化された積層体を得る。図４Ａに示されるラミネート工程において、図３Ｃで得られた積層物に、弾性材料シート４４を介して圧力を加える。弾性材料シート４４を介して積層物を加圧することで、透光性プラスチック材１２に均一な圧力を加えることができる。
【００６５】
透光性プラスチック材１２に成膜されている反射防止膜およびガスバリア層は、水分を吸収していることがある。吸水されている水分が、ラミネート工程における加熱によって気泡として発生することがないように、透光性プラスチック材１２から水分を除去しておくことが好ましい。透光性プラスチック材１２から水分を除去するには、例えば、予め積層体を１２０℃で５ｈ乾燥を行えばよい。積層体は、シリカゲルと共に密閉して保管し、開封直後にラミネート工程に使用することが好ましい。
【００６６】
図４Ａに示されるラミネート工程では、透光性プラスチック材１２のガラス転移温度（例えば、１５０℃）以下の温度に、下部の加熱金属板３１および上部のヒータ２７で上述の積層物で加熱する。それにより、積層物の透明充填樹脂３を充分に溶融させる。そのとき、透明充填樹脂３の架橋反応が開始しないように、真空加圧炉２８と真空炉２９の内圧を下げて、目安として１３０Ｐａ以下とする。具体的には、真空加圧炉２８と真空炉２９の内部の真空引き工程を１０〜３０分間行う。
【００６７】
ラミネート工程で、弾性材料シート４４が透光性バックシート２５に接触する。しかしながら、真空加圧炉２８の内圧と、真空炉２９の内圧とが同一になるように制御しているため、弾性材料シート４４による透光性バックシート２５への加圧はほとんどない。よって、架橋反応は開始しない。
【００６８】
次に、真空炉２９の真空を維持したまま、真空加圧炉２８に空気を入れて、真空加圧炉２８の内圧を０．５気圧〜最大２気圧の範囲に調整する。その結果、弾性材料シート４４が透光性バックシート２５を加圧し、透明充填樹脂３の架橋反応が充分に進行する。加圧時間は、例えば５〜１５分間である。また、透明充填樹脂３の架橋反応が短時間で充分に進行するように、真空加圧炉２８に、常温の空気ではなく、ホットエアー（最高２００℃まで）を入れることもできる。
【００６９】
このようなラミネート工程により、透明充填樹脂３が架橋反応をおこし、透光性プラスチック材１２と太陽電池セル２２と透光性バックシート２５間が密着し、一体化して積層体となる。その後、１００〜１５０℃程度のキュア工程に投入し、透明充填樹脂３の架橋反応が完了するように３０〜９０分程度行う。
【００７０】
次工程として、図４Ｂに示すように、透光性バックシート２５に端子箱３２を取り付ける。端子箱３２内は、通常、シリコーングリースで絶縁および防水防湿処理されている。太陽電池セル２２で発電された電力は、インターコネクタ１にて電気的に引き出され、引き出し部１ａで外部に引き出される。引き出し部１ａは、端子箱３２に、はんだや溶接工法などを用いて電気的に結線される。
【００７１】
インターコネクタ１は、端子箱３２で外部配線と接続される。例えば、端子箱３２を介して太陽電池装置１１（図１Ａ〜Ｃ）同士を電気的に結線し、電気的に接続した複数の太陽電池装置１１で太陽電池システムが構成される。
【００７２】
次工程として、図５Ａ、図５Ｂに示すように、図４Ｂで得られた積層体の透光性プラスチック材１２を、所定の曲面を有する形状に成型するとともに、枠部１４（図１Ａ〜Ｃを参照）を成型する。これを、真空成形工程と称する。
【００７３】
真空成形工程の第１工程として、透光性プラスチック材１２内の水分を除去するために、図４Ｂで得られた積層体をベーク処理する。ベーク温度は、透光性プラスチック材１２の材料のガラス転位温度以下に設定し、一般的に１００〜１５０℃程度にする。高湿環境化で保管されていた透光性プラスチック材１２のベーク時間は、特に限定されないが、「厚み（ｍｍ）の２乗値×１時間」以内に設定する。例えば、透光性プラスチック材１２の厚みが５ｍｍの場合、２５（＝５×５）時間以下を目安にする。低湿環境化で適正に保管されていた透光性プラスチック材１２の場合５ｍｍ厚みの場合、ベーク時間は５〜１０時間程度でよい。
【００７４】
真空成形工程の第２工程として、ベーク炉から取り出した直後の透光性プラスチック材１２の周縁部を、真空成形機の固定枠３３で挟み込んで固定する。そのとき、太陽電池セル２２が成形型３４に対向するようにセットする（図５Ａ参照）。
【００７５】
真空成形工程の第３工程として、上側ヒータ２７ａと下側ヒータ２７ｄの温度を上昇させて、透光性プラスチック材１２を加温する。透光性プラスチック材１２の温度が、透光性プラスチック材１２の材料のガラス転移温度（Ｔｇ）以上の１５０〜２００℃になるように、上側ヒータ２７ａ及び下側ヒータ２７ｄの温度を設定する（例えば、３００〜５００℃の範囲に設定する）。それにより、透光性プラスチック材１２を所望の形状に成型しやすくなる。
【００７６】
同時に、成形型３４内に設けられたヒータ２７ｂの温度と成形型取付台３６のヒータ２７ｃの温度も上昇させる（図５Ｂ参照）。ヒータ２７ｂやヒータ２７ｃの温度は、透光性プラスチック材１２を変形させやすい温度であって、冷却により硬化可能な温度であることが好ましい。
【００７７】
真空成形工程の第４工程として、透光性プラスチック材１２が所定温度に達した（例えば、約１〜３分間かけて１５０〜１８０℃とする）後に、下側ヒータ２７ｄを構成する部材を移動させて、透光性プラスチック材１２と固定枠３３とを成形型３４にまで移動可能な状態（移動に干渉しない状態）とする。
【００７８】
そして、図６に示すように、透光性プラスチック材１２を真空成形によって所望の形状に成型する。固定枠３３を下降させ、太陽電池セル２２と一体化している透光性プラスチック材１２を成形型３４の頭頂部３４ａ（図５Ｂ参照）に接触させる。さらに、固定枠３３を継続的に下降させる。固定枠３３が頭頂部３４ａに接触したとき、真空穴３５に接続している真空ポンプが、成形型３４の表面に複数ある真空穴３５から空気を吸引する。
【００７９】
加熱により軟化した透光性プラスチック材１２は、固定枠３３によって下降されながら、成形型３４に接触する。真空穴３５から空気が吸引されているので、軟化した透光性プラスチック材１２は成形型３４に密着する。その結果、成形型３４の形状が、透光性プラスチック材１２に転写される。
【００８０】
成形型３４に接触した透光性プラスチック材１２の熱は、成形型３４に移動する。その結果、透光性プラスチック材１２は、温度の低下により硬化する。効率的に透光性プラスチック材１２の温度を低下させるために、外部から扇風機などを用いてエアーをブローしてもよい。
【００８１】
透光性プラスチック材１２が７０℃以下になり、十分に硬化したことを確認した後に、真空穴３５を通して空気を吹き出し、エアーブローにより成形型３４と透光性プラスチック材１２とを離型させる。さらに、固定枠３３によって透光性プラスチック材１２を上昇させて、成形型３４と透光性プラスチック材１２を離間させる。
【００８２】
次に、固定枠３３による透光性プラスチック材１２の固定を解除し、透光性プラスチック材１２を取り外す。この一連の真空成型によって実施の形態１の太陽電池装置１１（図１）が得られる。実施の形態１の太陽電池装置は、ドーム状の曲面を有する透光性プラスチック材１２を有し、かつそのドームの底面に枠部（ふち部）１４を有する。図６は、透光性プラスチック材１２と成型器の断面を示しているが、図１に示されるように、得られる太陽電池装置はドーム状の透光性プラスチック材１２を有する。
【００８３】
このように、太陽電池装置の透光性プラスチック材を、真空穴を設けた成形型に押し付ける方法で成型することで、透光性プラスチック材に、所望の曲面を形成できる。
【００８４】
［実施の形態２］
図７に、実施の形態２の太陽電池装置を示す。実施の形態２の太陽電池装置は、太陽電池セル２２の透光性プラスチック材１２の封止領域１５以外の部分（側面部分）に、外部空間に対して凹状の曲面１２ａを有する。側面に凹状の曲面１２ａを設けることにより、太陽電池セル２２の封止領域１５の面積より、設置領域１９の面積を小さくすることができる。設置領域１９の面積を小さくすれば、被固定体２４の面積に対する、太陽電池セル２２の封止領域１５の面積比率を高めることができる。その結果、太陽電池装置の設置効率が高まる。
【００８５】
また、透光性プラスチック材１２の側面部分に凹状の曲面１２ａを設けることにより、設置領域１９の外部の被固定体２４の表面で反射した太陽光３７の、透光性プラスチック材１２の側面への入射角度が大きくなる。そのため、側面で反射する光が少なくなる。その結果、設置領域１９の外側の被固定体２４の表面で反射した太陽光３７が両面受光型の太陽電池セル２２に入射しやすくなり、太陽電池セル２２の発電量を増加させることができる。
【００８６】
［実施の形態３］
図８に、実施の形態３の太陽電池装置を示す。実施の形態３の太陽電池装置は、太陽電池セル２２の透光性プラスチック材１２の封止領域１５の表面に、外部空間に対して凸状の曲面１２ｂを有する。太陽電池セル２２の封止領域１５に凸状の曲面１２ｂを設けることによって、太陽電池装置の剛性が向上する。また、凸状の曲面１２ｂの面角度を調整して、太陽電池セル２２の封止領域１５の表面への太陽光の入射角度をより直角に近づけることもできる。それにより、一年を通じての太陽高度の変化や、１日を通じての太陽の移動があっても、常に太陽電池セル２２の封止領域１５の表面での反射率を低減し、太陽電池セル２２の発電量を向上させることができる。
【００８７】
実施の形態３の太陽電池装置は、実施の形態１の太陽電池装置と同様に、１）透光性バックシート２５と、太陽電池セル２２と、反射防止膜およびガスバリア層が形成された透光性プラスチック材１２と、ＥＶＡに代表される透明充填樹脂３をラミネートして、一体化された積層体を得て（ラミネート工程）、２）得られた積層体を真空成型する（真空成型工程）ことで製造されうる。
【００８８】
図９に、ラミネート工程を示す。実施の形態３の太陽電池装置は、太陽電池セル２２の封止領域１５に凸状の曲面１２ｂを有する（図８参照）。そのため、ラミネート工程において、凸状の曲面１２ｂを有する透光性プラスチック材１２の凸状の曲面１２ｂに、両面発電を行う太陽電池セル２２を貼り付ける。このラミネート法は、一般的な「加飾フィルム工法」を応用した方法である。
【００８９】
曲面ラミネータ４２は、上枠４２ａおよび下枠４２ｂと、凹形状を有する加熱型４３と、を有する。曲面ラミネータ４２の装置内部の凹形状を有する加熱型４３に、凸状の曲面１２ｂを有する透光性プラスチック材１２を載置する。さらに、図２および図３に示されるフローと同様のフローで、加熱型４３に載置された、凸状の曲面１２ｂを有する透光性プラスチック材１２に、太陽電池セル２２、透明充填樹脂３、透光性バックシート２５などをセットして積層物を得る。
【００９０】
次に、弾性材料シート４４を具備する上枠４２ａを下降させて、得られた積層物を弾性体シート４４で包み込む。
【００９１】
次に、真空炉２９の内圧と真空加圧炉２８の内圧とを１３０Ｐａ以下にする。そして、ヒータ２７と加熱型４３の温度を上昇させて、透明充填樹脂３を加熱して４０〜８０℃とする。次に、真空加圧炉２８に空気をいれて、内圧を０．５気圧から２気圧程度にする。その状態で、ヒータ２７と加熱型の温度を１００〜１５０℃まで上昇させ、透明充填樹脂３に圧力を加えながら加熱させ、透明充填樹脂３を架橋させる。
【００９２】
その後、ヒータ２７及び加熱型４３の温度を下げて、真空加圧炉２８及び真空炉２９を大気圧に戻す。上枠４２ａと下枠４２ｂを開くことにより、凸状の曲面１２ｂを有する透光性プラスチック材１２を含む積層体を得ることができる。
【００９３】
図１０に、真空成型工程を示す。図６に示される真空成型工程と同様に、成形型３４に透光性プラスチック材１２を密着させて、透光性プラスチック材１２を所望の曲面形状にする。成形型３４は、複数の分割型（分割中型３４ｂと分割外型３４ｃ）からなり、それらを分割して取り外すことができる。そこで、図１０に示される真空成型工程の完了後に、まず成形型３４から、分割中型３４ｂを図中下方向に移動させて取り外す。次に、成型した透光性プラスチック材の内部に残った分割外型３４ｃを、中心側に移動させた後に引き抜くことができる。このようにして、側面に凹状の曲面１２ａを有する透光性プラスチック材１２を形成し、容易に成型型３４を除去することができる。
【００９４】
例えば、成形型３４は、成型型取り付け台３６からみたときに、（X:Y）行列で３×３＝９分割されている。まず、（X:Y）行列の中央（０：０）の分割型を取り外し、次に、（１：０）（−１：０）（０：１）（０：−１）の分割型を取り外す。それから、（１：１）（−１：−１）（１：−１）（−１：１）の分割型を取り外す。
【００９５】
［実施の形態４］
図１１に、実施の形態４の太陽電池装置を示す。実施の形態４の太陽電池装置は、実施の形態１の太陽電池装置の応用であり、被固定体としての自動車の屋根の車台３８に固定されている。具体的には、太陽電池装置の透光性プラスチック材１２の枠部１４が、接着剤３９によって車台３８に固定されている。
【００９６】
太陽電池装置が車台３８に固定されることで、自動車の室内が密閉されて、自動車の室内に外部からの雨風の侵入が抑制される。特に、図１１に示されるように、車台３８に車台凹部３８ａを設けておくことで、雨水は、車台３８の車台凹部３８ａに沿って車外に流れて行く。
【００９７】
また、サンルーフ（外部からの光を車内に取り込むための天窓）を有する自動車の屋根の車台３８に、実施の形態４の太陽電池装置を固定してもよい。実施の形態４の太陽電池装置は、両面発電を行う太陽電池セル２２とインターコネクタ１以外は、光透過させる部材で構成されうる。そのため、実施の形態４の太陽電池装置を自動車の屋根の車台３８に取り付けても、サンルーフとしての機能が維持できる。
【００９８】
また、実施の形態４の太陽電池装置を、サンルーフを有する自動車の屋根の車台３８に固定した場合には、車台３８の下に配置される車内天井板４０にスライド板４１を設けることができる。スライド板４１を開けるとサンルーフを介して車内に太陽光を取り込むことができ、スライド板４１を閉じるとスライド板４１に遮られて車内に太陽光を取り込まれない。
【００９９】
スライド板４１の太陽電池装置と対向する面には、光反射体２３を設けることが好ましい。スライド板４１を閉じたときに、サンルーフを透過した太陽光３７が光反射体２３で反射して、両面発電を行う太陽電池セル２２の裏面に入射することができる。その結果、両面発電を行う太陽電池セル２２の発電量の増加を図ることができる。
【０１００】
［実施の形態５］
図１２に、実施の形態５の太陽電池装置を示す。実施の形態５の太陽電池装置は、太陽電池装置の設置領域１９の周囲の、被固定体２４の上に配置されたプリズム反射シート５０を有するが、その他の構成は実施の形態１の太陽電池装置と同様である。プリズム反射シート５０は、例えば、プリズム反射シートである。プリズム反射シートは、例えば、その表面に三角プリズムが形成されている。
【０１０１】
プリズム反射シート５０は、白色のシリコーン樹脂、エポキシ樹脂、ウレタンゴムのフィルムや、白色塗装したポリカーボネイトやアクリルなどの樹脂板や、高反射の貝殻粉を混入した液体を塗装したフィルムである。
【０１０２】
プリズム反射シート５０にて入射した太陽光３７を、両面受光型の太陽電池セル２２に向かって反射させて、発電量を増加させることができる。両面受光型の太陽電池セル２２の発電量を、例えば１０〜２０％増加させることができる。
【０１０３】
２０１３年４月１０日出願の特願２０１３−０８２３０９の日本出願に基づく優先権を主張する。本日本出願に含まれる明細書、図面および要約書の開示内容は、すべて本願に援用される。
【産業上の利用可能性】
【０１０４】
本発明の太陽電池装置は、ドーム状の曲面を有し、かつそのドームの底面に枠（ふち）が成型された透光性プラスチック材を有する。そのため、透光性プラスチック材の枠を被固定体に固定することで、ドーム内を密閉空間とすることができる。そのため、密閉空間に配置された太陽電池セルが、外部空間から（外気の風雨で）汚染されることが防止できる。また、本発明の太陽電池装置は軽量かつ剛性が高い。本発明の太陽電池装置は、一般家庭向けおよび商業用および車載用の太陽電池装置として用いることができる。
【符号の説明】
【０１０５】
１  インターコネクタ 
１ａ  引き出し部 
２  太陽電池セル 
３  透明充填樹脂 
６  積層体 
７  枠体 
１１  太陽電池装置 
１２  透光性プラスチック材 
１２ａ  凹状の曲面 
１２ｂ  凸状の曲面 
１４  枠部 
１５  封止領域 
１９  設置領域 
２０  密閉空間 
２１  固定ビス 
２２  太陽電池セル 
２３  光反射体 
２４  被固定体 
２５  透光性バックシート 
２６  接合材料 
２７  ヒータ
２７ａ  上側ヒータ
２７ｂ，２７ｃ  ヒータ
２７ｄ  下側ヒータ
２８  真空加圧炉 
２９  真空炉 
３１  加熱金属板 
３２  端子箱 
３３  固定枠 
３４  成形型 
３４ａ  頭頂部 
３４ｂ  分割中型 
３４ｃ  分割外型 
３５  真空穴 
３６  成形型取付台 
３７  太陽光 
３７ａ  反射光 
３８  車台 
３８ａ  車台凹部 
３９  接着剤 
４０  車内天井板 
４１  スライド板 
４２  曲面ラミネータ 
４２ａ  上枠 
４２ｂ  下枠 
４３  加熱型 
４４  弾性材料シート 
４５  防水膜 
４６  密着層 
５０  プリズム反射シート 
【図１Ａ】
0005834201.tif 000002
【図１Ｂ】
0005834201.tif 000003
【図１Ｃ】
0005834201.tif 000004
【図２Ａ】
0005834201.tif 000005
【図２Ｂ】
0005834201.tif 000006
【図２Ｃ】
0005834201.tif 000007
【図３Ａ】
0005834201.tif 000008
【図３Ｂ】
0005834201.tif 000009
【図３Ｃ】
0005834201.tif 000010
【図４Ａ】
0005834201.tif 000011
【図４Ｂ】
0005834201.tif 000012
【図５Ａ】
0005834201.tif 000013
【図５Ｂ】
0005834201.tif 000014
【図６】
0005834201.tif 000015
【図７】
0005834201.tif 000016
【図８】
0005834201.tif 000017
【図９】
0005834201.tif 000018
【図１０】
0005834201.tif 000019
【図１１】
0005834201.tif 000020
【図１２】
0005834201.tif 000021
【図１３】
0005834201.tif 000022
【図１４】
0005834201.tif 000023
【図１５】
0005834201.tif 000024